(57)【要約】【課題】  従来の開閉可能な口を有する保存用のジッパーや雄咬合型の仕組みを持つ合成樹脂製チャック付袋では、開閉部が硬く、両手で開閉する構成になっており、片手しか使えない者には不便が生じていた。またかさばってしまい、携帯には不便が生じていた。【解決手段】  フェライト化合物粉末および高分子材料粉末を混合した磁性膜を薄型テープに加工し、粘着性を持たせ袋体に貼付し、磁性を用い開閉封することができる薄型テープ磁性膜を製造し、袋体の開閉部に備えた構造を持つ袋体では、開封時には袋体開閉部を片手の指でずらせば、対面同士の極性が同一となる配置の組み合わせにより反撥がおき、元に戻せば異なった極性の引き合う力で閉封のできる仕組みを備えた袋体の開閉部で、片手で開閉ができ、安全性があり、かさばらず携帯に便利なため、常服薬の服用のための整理袋としても使用できる。【選択図】図３
2012101848.tif 000002
【特許請求の範囲】
【請求項１】
フェライト化合物粉末および高分子材料粉末を混合した薄型テープの磁性膜を袋体の開閉部に備え、薄型テープ磁性膜の並びが隣および対面同士の極性を反対極性に配置した構成を持つ磁性力により開閉を行うことのできる袋体の開閉部。
【請求項２】
フェライト化合物粉末および高分子材料粉末を混合した薄型テープの磁性膜を合成樹脂袋の開閉部に備え、薄型テープ磁性膜の並びが隣および対面同士の極性を反対極性に配置した構成を持つ磁性力により開閉を行うことのできる開閉部をもった合成樹脂袋。
【発明の詳細な説明】
【技術分野】
【０００１】  本発明は永久磁石性を有する薄型粘着性磁性膜を備えた袋体の開閉部に関する。
【背景技術】
【０００２】  従来の永久磁石性を利用したものには糸状の磁石や織物、編物、不織布等の布帛状の磁石があり、溶融法により紡糸し、布帛形成工程と着磁工程により布帛状を製造している。（例えば、特許文献１参照）【０００３】  開閉部がバイアスされた開閉可能な口を有する保存用の袋が開示されている。袋は、低密度ポリエチレンのような熱可塑性材料から製造されており、底部及び側部のエッジに沿って結合又は折り畳まれた、第一及び第二の隣接する層を含む。対になる雄型及び雌型のファスナー条片のような密閉部材が設けられている。袋には上部エッジをバイアスして互いに離れさせる構造がさらに設けられており、したがって、袋の口をバイアスして開く形状にする。開封部材が係合している時に袋を閉じたままにする。開封部材が分離されると、バイアスする構造が袋の上部エッジを離すようにし、それによって袋を開いた口の形状にする。（例えば、特許文献２参照）【０００４】  開閉する口部に雌雄咬合の仕組みを持ち、閉封時には咬合部を指腹部で挟圧する構成の合成樹脂製チャック付袋体（例えば、特許文献３参照）
【特許文献１】特開平０１−２０６６０６号  公報
【特許文献２】特表２００５−５０６９３８号  公報
【特許文献３】特開２００９−１９６７０３  公報
【発明の開示】
【発明が解決しようとする課題】
【０００５】  従来の糸状の磁石や布帛状の磁石は溶融法により紡糸から行い、布帛形成工程と着磁工程を経てフェライト磁石を混合し、製品を製造するため、コストと時間がかかった。また開閉する口部分に内側だけに相反する磁石性を持たせることが出来ずに、開封用の袋には適さなかった。また、開閉部がバイアスされた閉封可能な口を有する保存用の袋は、ジッパー部分の厚みで重ねるとかさばって持運びに不便が生じ、また封入物が内側からジッパーに挟まるなどの不便もあり、両手での開封が必要であった。雌雄咬合型の仕組みを持つ合成樹脂製チャック付袋では凹凸部分を咬合する仕組みになっているため一度指腹部で閉封した後に開封する場合には凹凸部分の咬合が硬いため、片手では開封ができず、両手で開封する必要があった。【０００６】  本発明は上記の構成では成し得なかった、片手しか使えない者や体力のない者でも片手で軽度の力で袋体の開閉について磁性力の力を利用することにより実施可能としたものである。
口に入っても安全なフェライト磁石に粘着性を持たせ薄型テープに加工し、袋体の開閉部に貼付することで、片手の親指と人さし指等の２本を使い、指をずらす程度の力で磁性力の同極が反撥しあう力で開閉ができる構成とした。常服薬を服用する際の整理袋として利用可能であり、かさばらず外部への持ち運びに適した携帯可能な薄型の合成樹脂袋を低コストで提供することを目的とする。
【課題を解決するための手段】
【０００７】  そして本発明は上記目的を達成できるようにするために、フェライト化合物粉末および高分子材料粉末を混合した磁性膜を薄型テープに加工したものを袋体の開閉部に貼付する構造を持つ開閉部で、開封時には袋上部を片手の指でずらせば、対面同士の磁極が同一となる配置の組み合わせにより反撥がおきて開封し、元に戻せば異なった磁極の引き合う力で閉封のできる仕組みを有する。【０００８】  かさばらず、携帯に適するように薄型の合成樹脂袋に貼付できるフェライト化合物粉末及び高分子材料粉末の混合体をテープに加工する。【０００９】  フェライト化合物粉末および高分子材料粉末の混合体を薄型テープに加工し、磁性膜の並びが隣同士の極性を異なるものとした配置を特徴とする貼付可能な磁性膜で、磁性膜間の間隔をあける技術を要せずに、そのまま袋体の開閉部に貼付する。
【発明の効果】
【００１０】  上述したように本発明の薄型テープ式粘着性磁性膜を開閉部に備えた袋体の開閉部は磁性膜の並びが隣および対面同士の極性を異なるものとした配置を特徴とすることで、袋体開閉部の開閉作業を片手２本の指の軽度の力で行うことを可能としたものである。【００１１】  低コストで軽度の力で開閉ができる開閉部のある袋体を作成することが可能となる。【００１２】  薄型テープ磁性膜はかさばらないため、携帯にも適する効果を生じる。【００１３】  口に入っても安全なフェライト磁石を利用した開閉用薄型テープ式粘着性磁性膜を開閉部に備えた袋体は、安全でかさばらずに持ち運びができ、開閉作業を片手２本の指の軽度の力で行うことが可能となることで、薬の整理袋として利用が可能となり、また軽度な磁性力を利用するもののため、隣会う配置による磁力低下による影響はない。
【発明を実施するための最良の形態】
【実施例】
【００１４】  図１において、フェライト化合物粉末及び高分子材料粉末の混合体を薄型テープ磁性膜に加工し、粘着性を持たせ袋体上部の開閉部の表面に隣と対面同士に反対磁極間の隙間をあけながら配置する全体構成となっている。【００１５】  図２は、袋体の表面と対面する側の表面の図で対面同士に反対磁極を配置しており、磁石の作用で閉封する仕組みを持つ。なお、膜磁石は一枚にある２面の一方がＮ極なら、他方はＳ極になる。【００１６】  図３は袋体の表面と対面する側の表面の図で対面同士に反対磁極を配置しており、袋体開閉部分をずらすことで、対面する磁極が同極となり、磁石が反撥してその作用を利用して片手で開封する仕組みを持つ。
【図面の簡単な説明】
【００１７】
【図１】  薄型テープ磁性膜を袋体の開閉部に備えた構造を持つ袋の正面図
【図２】  磁性膜の隣と対面同士の極性を異なる配置とした袋体の開閉部平面図
【図３】  位置をずらし反対磁極を持つ磁性の作用により開封する動作図
【図１】
2012101848.tif 000003
【図２】
2012101848.tif 000004
【図３】
2012101848.tif 000005